【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ユーザの電子機器から受信したコンテンツおよび前記コンテンツの生成と関連する位置を含む情報をコンテンツデータベースに保存する保存工程と、
前記コンテンツデータベースに保存された前記位置またはユーザのプロジェクト生成要求に基づき、２次コンテンツを生成するためのプロジェクトを設定する設定工程と、
前記プロジェクトの生成を要求したユーザ、前記プロジェクトを選択したユーザおよびサーバから前記位置に基づいて選定されたユーザのうちの少なくとも１人のユーザの電子機器に前記プロジェクトのデータを送信する送信工程と、
前記プロジェクトのデータに基づいて前記電子機器で生成されて前記電子機器から受信された１次コンテンツを利用して２次コンテンツを生成する生成工程と、を含むことを特徴とするサーバの制御方法。
【請求項２】
前記１次コンテンツは、前記プロジェクトが含む場所または前記プロジェクトが指定する被写体と関連する映像を含み、
前記２次コンテンツを生成する生成工程は、
前記映像を同期化することにより、パノラマ映像、３次元映像およびアニメーション映像のうちの少なくとも１つの映像を前記２次コンテンツとして生成することを特徴とする、請求項１に記載の方法。
【請求項３】
前記１次コンテンツのうちの少なくとも１つは、音源または前記音源に関する情報をさらに含み、
前記２次コンテンツを生成する生成工程は、
前記映像を同期化して生成した前記少なくとも１つの映像に前記音源を追加して前記２次コンテンツを生成することを特徴とする、請求項２に記載の方法。
【請求項４】
前記サーバから前記位置に基づいて選定されたユーザは、前記サーバと関連するサービスで人的関係が設定されたユーザおよび前記サーバと関連するサービスで１つの通信セッションによって通信するユーザのうち、前記位置に基づいて選定される少なくとも１人のユーザを含むことを特徴とする、請求項１に記載の方法。
【請求項５】
前記２次コンテンツを生成する生成工程は、
前記１次コンテンツの生成と関連する位置に基づいて前記コンテンツデータベースから検索されるコンテンツおよび前記１次コンテンツを利用して前記２次コンテンツを生成することを特徴とする、請求項１に記載の方法。
【請求項６】
前記プロジェクトのデータは、前記電子機器で駆動するアプリケーションで前記電子機器によってプッシュ（ｐｕｓｈ）されたり、または前記アプリケーションの制御にしたがって前記サーバと関連するサービスの通信セッションに連結する電子機器に前記通信セッションによって提供されることを特徴とする、請求項１に記載の方法。
【請求項７】
前記プロジェクトは、前記コンテンツデータベースに格納されたコンテンツを利用して前記２次コンテンツを生成するのに足りないコンテンツを生成するためのミッションを含み、
前記プロジェクトのデータを送信する送信工程は、
前記プロジェクトを選択した第１ユーザの電子機器に前記プロジェクトのデータを送信し、前記足りないコンテンツの生成を要請することを特徴とする、請求項１に記載の方法。
【請求項８】
前記プロジェクトのデータを送信する送信工程は、
同じプロジェクトを選択したユーザの電子機器に前記プロジェクトのデータを送信し、前記同じプロジェクトを選択したユーザの電子機器間に通信セッションを連結することを特徴とする、請求項１に記載の方法。
【請求項９】
第１プロジェクトのデータが送信された第１ユーザの１次コンテンツが、第２プロジェクトのデータが送信された第２ユーザに必要なコンテンツであるかを決める決定工程と、
前記第１ユーザの１次コンテンツが前記第２ユーザに必要なコンテンツである場合、前記第１ユーザの１次コンテンツを前記第２ユーザの電子機器に送信して第２プロジェクトのためのコンテンツとして共有する共有工程と、
をさらに含むことを特徴とする、請求項１に記載の方法。
【請求項１０】
前記プロジェクトは、前記サーバと関連するサービスの通信セッションで互いに通信するユーザが、前記通信セッションにアップロードしたコンテンツを利用して前記２次コンテンツを生成するためのミッションを含み、
前記２次コンテンツを生成する生成工程は、
前記通信セッションにアップロードされたコンテンツを前記１次コンテンツとして利用して前記２次コンテンツを生成することを特徴とする、請求項１に記載の方法。
【請求項１１】
前記１次コンテンツは、前記プロジェクトが指定する被写体と第１ユーザが含まれた第１映像、および前記被写体と第２ユーザが含まれた第２映像を含み、
前記２次コンテンツを生成する生成工程は、
前記第１映像および前記第２映像を合成し、前記被写体と前記第１ユーザおよび前記第２ユーザが含まれた第３映像を前記第２コンテンツとして生成することを特徴とする、請求項１に記載の方法。
【請求項１２】
前記１次コンテンツは、前記プロジェクトの指定する被写体が含まれた第１映像、および前記第１映像の撮影者が含まれた第２映像を含み、
前記２次コンテンツを生成する生成工程は、
前記第１映像および前記第２映像を合成し、前記被写体と前記撮影者が含まれた第３映像を生成することを特徴とする、請求項１に記載の方法。
【請求項１３】
前記プロジェクトは、撮影のための場所または被写体に関する情報を含み、
前記１次コンテンツは、前記場所で撮った映像または前記被写体を撮った映像を含み、
前記コンテンツデータベースに格納されたコンテンツに基づいて前記場所または前記被写体に対するお勧め撮影位置またはお勧め撮影角度に関する情報を生成して前記プロジェクトのデータが送信されたユーザに送信する第２送信工程、
をさらに含むことを特徴とする、請求項１に記載の方法。
【請求項１４】
第１ユーザから受信した１次コンテンツの生成と関連する位置に基づいて前記コンテンツデータベースからコンテンツを抽出する抽出工程と、
前記抽出されたコンテンツと前記１次コンテンツを利用して前記２次コンテンツに対する予想コンテンツを生成して前記第１ユーザに送信する第３送信工程と、
をさらに含むことを特徴とする、請求項１に記載の方法。
【請求項１５】
前記プロジェクトは、第１ユーザが参加して生成された２次コンテンツを含み、
前記プロジェクトのデータを送信する送信工程は、
前記サーバと関連するサービスで前記第１ユーザと人的関係が設定された第２ユーザに前記プロジェクトのデータを送信することを特徴とする、請求項１に記載の方法。
【請求項１６】
前記１次コンテンツは、第１ユーザおよび第２ユーザが含まれた第１映像、および第３ユーザが含まれた第２映像を含み、
前記２次コンテンツを生成する生成工程は、
前記第１映像および前記第２映像を合成し、前記第１ユーザまたは前記第２ユーザが前記第３ユーザに変更された第３映像を生成することを特徴とする、請求項１に記載の方法。
【請求項１７】
前記プロジェクトを設定する設定工程は、
第１ユーザのコンテンツおよび前記第１ユーザのコンテンツの生成と関連する位置を含むプロジェクト生成要求を前記第１ユーザの電子機器から受信して前記プロジェクトを設定し、
前記プロジェクトのデータを送信する送信工程は、
前記第１ユーザのコンテンツの生成と関連する位置に基づいて前記サーバから選定されるユーザに前記プロジェクトのデータを送信することを特徴とする、請求項１に記載の方法。
【請求項１８】
前記プロジェクトは、同じ場所で一定期間内にコンテンツをアップロードしたユーザにミッションへの参加を要請するための情報を含んで設定され、
前記２次コンテンツを生成する生成工程は、
前記ミッションへの参加を要求するための情報に応答して前記ミッションへの参加を許可したユーザの電子機器から受信したコンテンツを前記１次コンテンツとして利用して前記２次コンテンツを生成することを特徴とする、請求項１に記載の方法。
【請求項１９】
前記１次コンテンツは、前記プロジェクトに含まれた場所または前記プロジェクトが指定する被写体を互いに異なる位置または互いに異なる角度から撮影した映像を含み、
前記２次コンテンツを生成するために必要な位置での映像または前記２次コンテンツの生成のために必要な角度からの映像が存在しないか足りない場合、前記場所に位置する電子機器に、前記必要な位置または前記必要な角度に関する情報を含む新たなプロジェクトのデータを送信して映像を要求したり、または前記サーバと関連するサービスの通信セッションに参加しているユーザの電子機器に前記新たなプロジェクトのデータを送信して映像を要求する要求工程
をさらに含むことを特徴とする、請求項１に記載の方法。
【請求項２０】
前記プロジェクトのデータを送信する送信工程は、
前記サーバと関連するサービスで互いに人的関係が設定されたユーザの電子機器のうち、電子機器の現在位置に基づいて同じ場所に位する電子機器に前記プロジェクトのデータを送信し、
前記プロジェクトのデータは、前記同じ場所に位置する電子機器のユーザのうちの少なくとも１つを被写体として指定するための情報、前記被写体として指定されたユーザに要求される行動情報、および残りのユーザが前記被写体として指定されたユーザを撮影するための角度または位置に関する情報を含むことを特徴とする、請求項１に記載の方法。
【請求項２１】
前記電子機器で駆動するアプリケーションから前記プロジェクトを編集するための機能が提供され、
前記プロジェクトを設定する設定工程は、
前記機能を利用して第１ユーザの電子機器で編集されたプロジェクトのデータを受信して新たなプロジェクトを設定することを特徴とする、請求項１に記載の方法。
【請求項２２】
前記コンテンツデータベースから前記新たなプロジェクトに該当するコンテンツを抽出して予想コンテンツを生成し、生成された予想コンテンツを前記第１ユーザの電子機器に送信する第４送信工程
をさらに含むことを特徴とする、請求項２１に記載の方法。
【請求項２３】
前記プロジェクトは、１つの被写体を同時に撮影するミッションを含み、
前記ミッションに参加したユーザの電子機器に、撮影時点を同期化した撮影命令を提供する提供工程
をさらに含み、
前記電子機器で前記撮影命令にしたがって前記同期化した撮影時点に撮影が実行されることを特徴とする、請求項１に記載の方法。
【請求項２４】
コンピュータに請求項１〜２３のうちいずれか一項に記載の方法を実行させるプログラム。
【請求項２５】
ユーザの電子機器から受信したコンテンツおよび前記コンテンツの生成と関連する位置を含む情報をコンテンツデータベースに保存する保存手段と、
前記コンテンツデータベースに保存された前記位置またはユーザのプロジェクト生成要求に基づき、２次コンテンツを生成するためのプロジェクトを設定する設定手段と、
前記プロジェクトの生成を要求したユーザ、前記プロジェクトを選択したユーザ、および前記位置に基づいて選定されたユーザのうちの少なくとも１人のユーザの電子機器に前記プロジェクトのデータを送信する送信手段と、
前記プロジェクトのデータに基づいて前記電子機器で生成されて前記電子機器から受信された１次コンテンツを利用して２次コンテンツを生成する生成手段と、
を備えることを特徴とする、システム。
【請求項２６】
前記１次コンテンツは、前記プロジェクトが含む場所または前記プロジェクトが指定する被写体に関する映像を含み、
前記生成手段は、
前記映像を同期化することにより、パノラマ映像、３次元映像およびアニメーション映像のうちの少なくとも１つの映像を前記２次コンテンツとして生成することを特徴とする、請求項２５に記載のシステム。
【請求項２７】
前記位置に基づいて選定されたユーザは、前記システムと関連するサービスで互いに人的関係が設定されたユーザおよび前記システムと関連するサービスで１つの通信セッションによって通信するユーザのうち、前記位置に基づいて選定される少なくとも１人のユーザを含み、
前記プロジェクトのデータは、前記電子機器で駆動するアプリケーションで前記電子機器によってプッシュ（ｐｕｓｈ）されたり、または前記アプリケーションの制御にしたがって前記システムと関連するサービスの通信セッションに連結している電子機器に前記通信セッションを通じ提供されることを特徴とする、請求項２５に記載のシステム。
【請求項２８】
前記生成手段は、
前記１次コンテンツの生成と関連する位置に基づいて前記コンテンツデータベースから検索されるコンテンツおよび前記１次コンテンツを利用して前記２次コンテンツを生成することを特徴とする、請求項２５に記載のシステム。
【手続補正２】
【補正対象書類名】明細書
【補正対象項目名】発明の名称
【補正方法】変更
【補正の内容】
【発明の名称】サーバの制御方法およびシステム